(57)【要約】【課題】インターネット上のサイトを利用して、自作または市販の装飾されたメッセージカードや装飾電報等のように見栄えのよいメッセージカードを贈ることのできる、利用価値の高いメッセージ送信システムとそのプログラムを提供する。【解決手段】メッセージ内容の入力欄や複数の用紙パターン等を掲載してなるページがメール送り手側端末４に表示され、この複数の用紙パターンのうちからいずれか一つがメール送り手側により選択されると、その選択された用紙パターン上にメッセージ内容を付加してなる表示形態のメッセージページ９が作成されるとともに、このメッセージページ９の所在がメール受け手側端末５を介しメール受け手側に表示されるものとする。【選択図】  図１
2004258910.tif 000002
【特許請求の範囲】
【請求項１】
インターネット上にメール受け手側サイトを創設するシステムサーバと、インターネットを介し上記メール受け手側サイトにアクセス可能なメール送り手側端末およびメール受け手側端末とを有するメッセージ送信システムであって、
上記システムサーバは、
上記メール送り手側端末から上記メール受け手側サイトへのアクセスがあったときに、メッセージ受取人を特定する事項およびメッセージ内容の入力欄と複数の用紙パターンとを掲載してなるページを表示する機能と、
上記複数の用紙パターンのうちいずれか一つの選択を要求するパターン選択要求機能と、
上記選択された用紙パターン上に上記入力されたメッセージ内容を付加してなるメッセージカードの表示形態を採り、かつ、インターネットを介し閲覧可能なメッセージページを作成する機能と、
上記メール受け手側端末から上記メール受け手側サイトへのアクセスがあったときに、そのメール受け手側に対し、上記作成されたメッセージページの所在を表示する機能とを有すること
を特徴とするメッセージ送信システム。
【請求項２】
上記メール受け手側端末は、上記メッセージページを印刷するプリント処理機能を具備すること
を特徴とする請求項１に記載のメッセージ送信システム。
【請求項３】
上記メール受け手側サイトが病院のサイトからなり、上記用紙パターンがお見舞い用の形態からなることを特徴とする請求項１に記載のメッセージ送信システム。
【請求項４】
上記メール受け手側サイトが結婚式場のサイトからなり、上記用紙パターンが結婚お祝い用の形態からなることを特徴とする請求項１に記載のメッセージ送信システム。
【請求項５】
上記メール受け手側サイトが葬儀社のサイトからなり、上記用紙パターンがお悔やみ用の形態からなることを特徴とする請求項１に記載のメッセージ送信システム。
【請求項６】
上記メール受け手側サイトが風俗営業店のサイトからなり、上記用紙パターンがラブレター用の形態からなることを特徴とする請求項１に記載のメッセージ送信システム。
【請求項７】
インターネット上にメール受け手側サイトを創設するシステムサーバと、インターネットを介し上記メール受け手側サイトにアクセス可能なメール送り手側端末およびメール受け手側端末とを有するメッセージ送信システムのプログラムであって、
上記プログラムは、
上記メール送り手側端末から上記メール受け手側サイトへのアクセスがあったときに、メッセージ受取人を特定する事項およびメッセージ内容の入力欄と複数の用紙パターンとを掲載してなるページを表示する機能と、
上記複数の用紙パターンのうちいずれか一つの選択を要求するパターン選択要求機能と、
上記選択された用紙パターン上に上記入力されたメッセージ内容を付加してなるメッセージカードの表示形態を採り、かつ、インターネットを介し閲覧可能なメッセージページを作成する機能と、
上記メール受け手側端末から上記メール受け手側サイトへのアクセスがあったときに、そのメール受け手側に対し、上記作成されたメッセージページの所在を表示する機能とを、上記システムサーバに実現させるプログラムであること
を特徴とするメッセージ送信システムのプログラム。
【発明の詳細な説明】
【０００１】
【発明の属する技術分野】
本発明は、インターネット上のサイトを利用して、自作または市販の装飾されたメッセージカードや装飾電報等のように見栄えのよいメッセージカードを贈ることのできる、利用価値の高いメッセージ送信システムとそのプログラムに関する。
【０００２】
【従来の技術】
例えば、病院の入院患者に対してお見舞いメッセージカードを贈る場合、通常は、お見舞いに行くときに自作または市販の装飾されたメッセージカードを持参するか、お見舞い用の装飾電報を利用する方法が採られている。また、インターネットが普及した近年では、入院患者のＷｅｂ端末等へお見舞いメッセージをメールで贈るというシステムも開発されている（例えば、特開２００１‐２６５８８１号公報）。
【０００３】
しかし、上記のようにメールでお見舞いメッセージを贈る従来システムによると、メッセージ内容とテキスト広告が表示されるメールの形態を採るため、自作または市販の装飾されたメッセージカードや装飾電報等のような華やかさや独特な風合いはなく、テキスト文字でメッセージ内容を表示しただけの無味乾燥で見栄えが悪いメッセージしか贈ることができず、お見舞いメッセージの贈り手側において、このメールによるお見舞いメッセージで失礼がないか等、お見舞いメッセージを贈るのにあたり躊躇する場合もあり、お見舞いメッセージを贈るシステムとしてその利用価値は低い。
【０００４】
【特許文献１】
特開２００１‐２６５８８１号公報
【０００５】
【発明が解決しようとする課題】
本発明は上記問題点を解決するためになされたもので、その目的とするところは、インターネット上のサイトを利用して、自作または市販の装飾されたメッセージカードや装飾電報等のように、見栄えのよいメッセージカードを贈ることのできる、利用価値の高いメッセージ送信システムとそのプログラムを提供することにある。
【０００６】
【課題を解決するための手段】
上記目的を達成するために、本発明に係るメッセージ送信システムは、インターネット上にメール受け手側サイトを創設するシステムサーバと、インターネットを介し上記メール受け手側サイトにアクセス可能なメール送り手側端末およびメール受け手側端末とを有するメッセージ送信システムであって、上記システムサーバは、上記メール送り手側端末から上記メール受け手側サイトへのアクセスがあったときに、メッセージ受取人を特定する事項およびメッセージ内容の入力欄と複数の用紙パターンとを掲載してなるページを表示する機能と、上記複数の用紙パターンのうちいずれか一つの選択を要求するパターン選択要求機能と、上記選択された用紙パターン上に上記入力されたメッセージ内容を付加してなるメッセージカードの表示形態を採り、かつ、インターネットを介し閲覧可能なメッセージページを作成する機能と、上記メール受け手側端末から上記メール受け手側サイトへのアクセスがあったときに、そのメール受け手側に対し、上記作成されたメッセージページの所在を表示する機能とを有することを特徴とするものである。
【０００７】
上記本発明においては、（１）上記メール受け手側サイトが病院のサイトからなり、上記用紙パターンがお見舞い用の形態からなる構成、（２）上記メール受け手側サイトが結婚式場のサイトからなり、上記用紙パターンが結婚お祝い用の形態からなる構成、（３）上記メール受け手側サイトが葬儀社のサイトからなり、上記用紙パターンがお悔やみ用の形態からなる構成、または、（４）上記メール受け手側サイトが風俗営業店のサイトからなり、上記用紙パターンがラブレター用の形態からなる構成を採用することができる。
【０００８】
また、本発明に係るメッセージ送信システムのプログラムは、インターネット上にメール受け手側サイトを創設するシステムサーバと、インターネットを介し上記メール受け手側サイトにアクセス可能なメール送り手側端末およびメール受け手側端末とを有するメッセージ送信システムのプログラムであって、上記プログラムは、上記メール送り手側端末から上記メール受け手側サイトへのアクセスがあったときに、メッセージ受取人を特定する事項およびメッセージ内容の入力欄と複数の用紙パターンとを掲載してなるページを表示する機能と、上記複数の用紙パターンのうちいずれか一つの選択を要求するパターン選択要求機能と、上記選択された用紙パターン上に上記入力されたメッセージ内容を付加してなるメッセージカードの表示形態を採り、かつ、インターネットを介し閲覧可能なメッセージページを作成する機能と、上記メール受け手側端末から上記メール受け手側サイトへのアクセスがあったときに、そのメール受け手側に対し、上記作成されたメッセージページの所在を表示する機能とを、上記システムサーバに実現させるプログラムであることを特徴とするものである。
【０００９】
本発明では、メッセージ内容の入力欄や複数の用紙パターン等を掲載してなるページがメール送り手側端末に表示され、この複数の用紙パターンのうちからいずれか一つがメール送り手側により選択されると、その選択された用紙パターン上にメッセージ内容を付加してなる表示形態のメッセージページが作成されるとともに、このメッセージページの所在がメール受け手側に表示される。このメッセージページをプリンタで印刷すれば、選択された用紙パターンと同じ模様等が入った綺麗な台紙上にメッセージ内容のみが印字されてなる、見栄えのよいお見舞いメッセージカードが得られる。
【００１０】
上記メール受け手側端末については、上記メッセージページを印刷するプリント処理機能を具備する構成を採用することができる。
【００１１】
【発明の実施の形態】
以下、本発明を病院へのお見舞いメール送信システムとして構成した実施の形態について図１ないし図６を基に詳細に説明する。
【００１２】
図１はお見舞いメール送信システムのシステム構成図、図２は図１のお見舞いメール送信システムにおいてメール送り手側端末に表示される情報入力ページの説明図、図３は図１のお見舞いメール送信システムにおいてメール受け手側端末に送信されるお知らせメールの説明図、図４は図１のお見舞いメール送信システムにおいて作成されるメッセージページの説明図である。
【００１３】
図１のお見舞いメール送信システム（以下、本システムという。）は、そのシステム構成として、インターネット１上にメール受け手側サイト２を創設するシステムサーバ３と、インターネット１を介し上記メール受け手側サイト２にアクセス可能なメール送り手側端末４およびメール受け手側端末５とからなる構造を採用している。
【００１４】
本実施形態において、メール受け手側とは、メール受け手側端末５が設置される病院を意味する。メール受け手側サイト２とは、インターネット１上に創設されたその病院専用のサイトを意味する。
【００１５】
メール受け手側端末５とは、病院に設置されている端末を意味する。このメール受け手側端末５は、パーソナルコンピュータ本体５‐１と、これに接続されたモニター５‐２、マウス５‐３、キーボード５‐４、およびプリンタ５‐５等から構成される。
【００１６】
メール送り手側とは、前記病院に入院している患者以外の者を意味する。例えば、患者の親族、友人等のように患者と面識のある者がメール送り手側という概念に含まれることは勿論のこと、患者とは特に面識のない一般人もメール送り手側という概念に含まれる。
【００１７】
メール送り手側端末４とは、メール送り手側の自宅や会社等に設置されている端末の他、インターネットカフェ等に設置されている端末も含まれる。このメール送り手側端末４は、パーソナルコンピュータ本体４‐１と、これに接続されたモニター４‐２、マウス４‐３、キーボード４‐４等から構成される。
【００１８】
メール受け手側サイト２は複数設けることができる。例えば、本システムを複数の病院が共同で使用する場合は、その病院ごとに個別にメール受け手側サイト２が創設されるものとする。この場合、メール受け手側端末５は病院ごとに少なくとも１つずつ存在すれば足りる。
【００１９】
上記システムサーバ３は前述の通り、病院のサイトであるメール受け手側サイト２を創設する機能のほか、少なくとも以下の諸機能を有する。
【００２０】
（１）情報入力ページ表示機能
情報入力ページ表示機能とは、メール送り手側端末４からメール受け手側サイト２へのアクセスがあったときに、図２に示す内容のページ、すなわち所定の事項の入力欄６と複数の用紙パターン７とを掲載表示してなるＷｅｂページ８（以下、情報入力ページという。）を表示させる機能である。この情報入力ページ８が表示される端末はメール送り手側端末４である。
【００２１】
上記所定の事項の入力欄６には、▲１▼メッセージ受取人を特定する事項として該メッセージ受取人の氏名を入力する欄６‐１、▲２▼メッセージ受取人の診療科目を入力する欄６‐２、▲３▼メール送り手側の氏名、住所、Ｅメールアドレスを入力する欄６‐３、▲４▼具体的なメッセージ内容Ｍを入力する欄６‐４が含まれ、これらの欄への入力が本情報入力ページ８において要求される。
【００２２】
ここで、上記メッセージ受取人とは、メール受け手側端末５が設置されている病院の入院患者を意味し、上記メッセージ受取人の氏名とはその入院患者の氏名を意味する。
【００２３】
上記▲１▼のメッセージ受取人の氏名によりお見舞いメールの受取人が具体的に特定されるが、お見舞いメールの受取人である入院患者が個室に入院している場合もある。この場合はその個室の番号でもお見舞いメールの受取人を特定することができるから、入院患者の氏名等の代わりに、その入院患者の個室の番号を入力してもよい。
【００２４】
情報入力ページ８中に掲載表示される上記用紙パターン７については本実施形態では３種類、すなわち第１ないし第３の用紙パターン７‐１、７‐２、７‐３を用意しているが、これらに限定されることはなく、それ以外の各種用紙パターンを採用することができる。
【００２５】
（２）パターン選択要求機能
本システムでは、上記３種類の用紙パターン７‐１、７‐２、７‐３のうちいずれか一つがメール送り手側によって選択されることを想定しているが、その選択を要求する機能がこのパターン選択要求機能である。
【００２６】
用紙パターン７の選択を要求する方式については各種考えられる。本実施形態においては、その方式の具体例として、複数の用紙パターン７の下部側に、その用紙パターン７‐１〜７‐３ごとに、それぞれ対応するチェック欄Ｃ‐１、Ｃ‐２、Ｃ‐３を一つずつ配置し、かつ、そのチェック欄がマウス等でクリックされると、クリックされたチェック欄にマークが入り、このマークの入ったチェック欄に対応する用紙パターンが選択されたものとする、いわゆるチェック欄方式が採用されている。尚、図２には、第２の用紙パターン７‐２のチェック欄Ｃ‐２にマークが入り、第２の用紙パターン７‐２が選択されている状態が示されている。
【００２７】
（３）メッセージページ作成機能
メッセージページ作成機能とは、Ｗｅｂページと同様にインターネット１を介し閲覧しうるメッセージページ９を作成する機能であり、このメッセージページ９は、図４に示すように、上記選択された用紙パターン７（７‐２）に上記入力されたメッセージ内容Ｍのみを付加してなるメッセージカードのような表示形態を採るものとしている。
【００２８】
上記のようなメッセージカードの表示形態を採用したのは、メッセージページ９をインターネットエクスプローラ等のブラウザで閲覧し、これをそのまま同ブラウザのプリント処理機能でインクジェットプリンタ、ノンインパクトプリンタ等を介しカラー印刷した場合に、選択された用紙パターン７（７‐２）の模様とメッセージ内容Ｍがカラーで印刷表示されてなる、綺麗で見栄えのよいお見舞いメッセージカードが出来上がるようにするためである。
【００２９】
（４）メッセージページ所在表示機能
メッセージページ所在表示機能とは、上記のようなメッセージページ９が作成されたときに、メール受け手側に対し、そのメッセージページ９の所在を表示する機能である。
【００３０】
このメッセージページ所在表示機能によりメッセージページ９の所在を表示する方式として、本実施形態では、該メッセージページ９のＵＲＬを用いる方式を採用している。すなわち、メッセージページ９が作成されると、患者宛てのお見舞いメールが届いている旨のお知らせメール（図３参照）が病院のサイト２からメール受け手側端末５に送信され、このお知らせメールの中に、その作成されたメッセージページ９のＵＲＬが含まれるものとしている。以上がシステムサーバ３の特徴的な諸機能である。
【００３１】
メール送り手側端末４およびメール受け手側端末５は、そのソフトウエア構成として、いずれもインターネットエクスプローラ等のブラウザを有し、このブラウザには上記メッセージページ９をプリンタで印刷するプリント処理機能が設けられている。
【００３２】
次に、上記の如く構成された本システムの使用例を図５に基づき説明する。
【００３３】
図１に示す本システムによると、自宅や職場のパーソナルコンピュータ（メール送り手側端末４）から病院の入院患者に対し、お見舞い用の装飾電報等と比べても少しも劣ることのない、綺麗で見栄えのよいお見舞いメッセージカード（図６参照）を贈ることができる。このお見舞いメッセージカードを贈る手順は以下の通りである。
【００３４】
まず、お見舞いメッセージカードを贈ろうとする者は、その受取人である患者が入院している病院のサイト２にアクセスする。このアクセスは、メール送り手側端末４である自宅や職場のパーソナルコンピュータまたはインターネットカフェ等のパーソナルコンピュータからインターネット１を介して行なうことができる。
【００３５】
メール送り手側端末４から病院のサイト２にアクセスすると、メール送り手側端末４のモニター４‐２には図２に示す情報入力ページ８が表示され、この情報入力ページ８中の入力欄６への情報の入力と用紙パターン７の選択が求められる（ステップ１００）。
【００３６】
尚、本使用例では第２の用紙パターン７‐２が選択されたものとする（図２参照）（ステップ１０１）。また、上記求めに従い、入力欄６に該当する情報（▲１▼メッセージ受取人の氏名、▲２▼メッセージ受取人の診療科目、▲３▼メール送り手側の氏名、住所、Ｅメールアドレス、▲４▼具体的なメッセージ内容Ｍ）が入力される（ステップ１０２）。
【００３７】
用紙パターン７の選択と入力欄６への情報の入力が済むと、プレビューイメージ画像（図示省略）が作成される。このプレビューイメージ画像は、上記の如く選択された用紙パターン７‐２上に入力メッセージ内容Ｍのみを付加してなる表示形態を採る（ステップ１０３）。
【００３８】
そして、上記プレビューイメージ画像で内容を確認し、その内容に問題があるときは、同情報入力ページ８中のクリアボタン１１がクリックされる（ステップ１０３のＮＧ）。
【００３９】
そうすると、入力内容や用紙パターンの選択ならびにプレビューイメージ画像がリセットされ、上記ステップ１０１に戻って再度、入力欄６への該当情報の入力や用紙パターンの選択を行なうことが可能となる。
【００４０】
一方、プレビューイメージ画像で内容を確認した結果、特に問題がない場合には、情報入力ページ８中の作成ボタン１０がクリックされるものとする（ステップ１０３のＯＫ）。
【００４１】
そうすると、図４に示すように、前記プレビューイメージ画像と同じ表示形態のＷｅｂページ、すなわち選択された用紙パターン７‐２に入力メッセージ内容Ｍのみを付加してなる表示形態のメッセージページ９が作成される（ステップ１０４）。
【００４２】
そして、上記メッセージページ９が作成される度に、その都度、病院の入院患者に対するお見舞いメッセージカードが届いている旨のお知らせメール（図３参照）が当該病院のサイト２からメール受け手側端末５へ送信されるとともに（ステップ１０５）、このようなお知らせメールを同病院のメール受け手側端末５が受信するものとする（ステップ１０６）。
【００４３】
以上の手順１‐１〜１‐３までがお見舞いメッセージカードを贈るときの手順である。次に、そのお見舞いメッセージカードを受け取る際の手順について説明する。
【００４４】
図３の上記お見舞いメッセージカードが届いている旨のお知らせメール中にはメッセージページ９の所在を示すＵＲＬが含まれており、お見舞いメッセージカードを受け取るには、メール受け手側端末５から上記ＵＲＬのメッセージページ９にアクセスし（ステップ１０７）、かつ、インターネットエクスプローラ等のブラウザを用いてブラウジングを行ない、該ＵＲＬのメッセージページ９を閲覧するものとする（ステップ１０８）。
【００４５】
これにより、メール受け手側端末５のモニター５‐５には上記ＵＲＬのメッセージページ９が表示されるので、その表示後は、メール受け手側端末５のブラウザのプリント処理機能により、上記ＵＲＬのメッセージページ９を印刷する（ステップ１０９）。
【００４６】
上記ＵＲＬのメッセージページ９は、図４のように用紙パターン７‐２に入力メッセージ内容Ｍのみを付加してなる表示形態を採るから、このメッセージページ９をプリンタ５‐５で印刷した結果の印刷物は、図６のように、用紙パターン７‐２と同じ模様とメッセージ内容Ｍがカラーで印刷表示されてなる、綺麗で見栄えのよいお見舞いメッセージカードとなる。
【００４７】
そして、このメッセージページ９の印刷物からなる、お見舞いメッセージカードが病院の担当者から患者に手渡される（ステップ１１０）。
【００４８】
尚、用紙パターン７の模様が金箔等が施された模様である場合は、その金箔等の模様と対応する部分に事前に金箔を施してなる台紙を用い、この金箔模様付き台紙にメッセージ内容のみが印字されるものとする。この場合、図３に示すお知らせメール中の「次のＵＲＬにアクセスして印刷後、××○×様へお届けください。」という表示は、「次のＵＲＬにアクセスして専用用紙をセットし印刷後、××○×様へお届けください。」という表示に置き換えられるものとする。このとき、その置き換えられる表示中の「専用用紙をセットし」の部分については赤色等で強調し注意を喚起することが望ましい。
【００４９】
以上のように、本システムによると、メッセージページ９をそのままメール受け手側が印刷すれば、選択された用紙パターン７‐２と同じ模様とメッセージ内容Ｍがカラーで印刷表示されてなる、見栄えのよいお見舞いメッセージカードが得られるから、お見舞いメッセージ等として失礼がないか等と躊躇することなく気軽にメッセージを贈ることができ、また、患者はそのお見舞いメッセージカードを退院時に持ち帰ることもでき、メッセージ送信システムとしての利用価値は高いといえる。
【００５０】
また、本システムによると、患者に対してお見舞いメッセージカードを贈るのにあたり、病院側にはメール受け手側端末５を一台設置すれば足り、入院患者ごとに個別に端末を設置する必要がないから、システム導入費用も安価で済むという利点がある。
【００５１】
なお、上記実施形態では、本発明を病院へのお見舞いメール送信システムとして構成した例について説明したが、本発明は、そのシステムに限定されることはなく、例えば、結婚式場へのお祝いメッセージ送信システム、葬儀社へのお悔やみメッセージ送信システム、または風俗業店舗へのラブレター送信システム等として構成することもできる。
【００５２】
ところで、本発明を結婚式場へのお祝いメッセージ送信システムとして構成する場合は、前述した病院２のサイトが結婚式場のサイトとなり、各種用紙パターン７は結婚お祝い用の形態となる。本発明をお悔やみメッセージ送信システムとして構成する場合は、前述した病院のサイト２が葬儀社のサイトとなり、各種用紙パターン７は葬儀用の形態が適用される。本発明をラブレター送信システムとして構成する場合は、前述した病院のサイト２が風俗営業店のサイトとなり、各種用紙パターン７はラブレター用の形態が適用される。
【００５３】
【発明の効果】
本発明にあっては、メッセージ内容の入力欄や複数の用紙パターン等を掲載してなるページがメール送り手側端末に表示され、この複数の用紙パターンのうちからいずれか一つがメール送り手側により選択されると、その選択された用紙パターン上にメッセージ内容を付加してなる表示形態のメッセージページが作成されるとともに、このメッセージページの所在がメール受け手側に表示される構成を採用したものである。このため、その作成されたメッセージページをそのままメール受け手側がプリンタで印刷すれば、選択された用紙パターンと同じ模様とメッセージ内容Ｍがカラーで印刷表示されてなる、見栄えのよいメッセージカードが得られる。よって、例えば、お見舞いメッセージ等として失礼がないか等と躊躇することなく気軽にメッセージを贈ることができ、利用価値の高いメッセージ送信システムを提供しうる等の効果がある。
【図面の簡単な説明】
【図１】本発明を適用したお見舞いメール送信システムのシステム構成図。
【図２】図１のお見舞いメール送信システムにおいてメール送り手側端末に表示される情報入力ページの説明図。
【図３】図１のお見舞いメール送信システムにおいてメール受け手側端末に送信されるお知らせメールの説明図。
【図４】図１のお見舞いメール送信システムにおいて作成されるメッセージページの説明図。
【図５】図１のお見舞いメール送信システムを用いてお見舞いメッセージカードを贈る場合と受け取る際の手順の説明図。
【図６】図４のメッセージページをプリンタで印刷した結果の印刷物（お見舞いメッセージカード）の説明図。
【符号の説明】
１  インターネット
２  メール受け手側サイト
３  システムサーバ
４  メール送り手側端末
５  メール受け手側端末
６  入力欄
７  用紙パターン
７‐１  第１の用紙パターン
７‐２  第２の用紙パターン
７‐３  第３の用紙パターン
８  情報入力ページ（Ｗｅｂページ）
９  メッセージページ
１０  作成ボタン
１１  クリアボタン
Ｃ１、Ｃ２、Ｃ３  チェック欄
Ｍ  メッセージ内容
【図１】
2004258910.tif 000003
【図２】
2004258910.tif 000004
【図３】
2004258910.tif 000005
【図４】
2004258910.tif 000006
【図５】
2004258910.tif 000007
【図６】
2004258910.tif 000008